(57)【要約】【課題】  空気調和機に装備される排水ポンプの水かき音の低減を図る。【解決手段】  回転羽根１００は軸部１１０を有し、軸部１１０の有底穴に電動モータ１０の出力軸１２が挿入される。軸部１１０から放射方向に延びる板状の大径羽根１２０は、外周側が円筒状のリング部材１７２に接続される。本実施例の回転羽根１００にあっては、リング部材１７２の外側に第２のリング部材１７０が形成される。２重構造のリング部材１７０，１７２の間には、環状の溝１７４が形成される。外側のリング部材１７０の内側のリング部材１７２は略等しい高さ寸法を有し、上端部はそれぞれ、円弧面１７０ａ，１７２ａに形成される。【選択図】        図２
2006029108.tif 000002
【特許請求の範囲】
【請求項１】
モータと、モータの出力軸に連結される回転羽根と、回転羽根を収容するハウジングを有し、ハウジングは回転羽根の小径羽根が挿入される吸込口と、ポンプ室の側部に設けられる吐出口を備える排水ポンプであって、
回転羽根はモータの出力軸に連結される軸部と、軸部から放射方向に延びる板状の大径羽根と、大径羽根とテーパー状の連結部を介して連結される板状の小径羽根と、大径羽根の外周部を連結するリング部材とを有し、
リング部材は、外側と内側の２重のリング部材と、２重のリング部材により形成される有底の環状溝を備える排水ポンプ。
【請求項２】
内側のリング部材と外側のリング部材は同じ高さ寸法に形成される請求項１記載の排水ポンプ。
【請求項３】
内側のリング部材は、外側のリング部材に対して高さ寸法が低く形成される請求項１記載の排水ポンプ。
【請求項４】
内側のリング部材に設けられる環状溝の排水用の隙間を備える請求項１記載の排水ポンプ。
【請求項５】
内側のリング部材から内周側に延びる板状の補助大径羽根を備える請求項１記載の排水ポンプ。
【発明の詳細な説明】
【技術分野】
【０００１】
本発明は排水ポンプ、特に空気調和機に装備される排水ポンプに関する。
【背景技術】
【０００２】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体であるハウジング内に羽根を回転自在に設け、この羽根をハウジングの開口の上部にカバーを介して固定したモータにより回転させている。そのモータの駆動軸は、カバーに形成された貫通穴を回転自在に貫通して羽根のシャフト部に連結され、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
この種の排水ポンプは、例えば、本出願人に係る特許文献１に開示されている。
【特許文献１】特開２０００−２１３７７０号公報
【発明の開示】
【発明が解決しようとする課題】
【０００３】
室内ユニットは、運転時の静粛性が要求される。
本発明は、運転音を低減する排水ポンプを提供するものである。
【課題を解決するための手段】
【０００４】
本発明の排水ポンプは、基本的手段として、モータと、モータの出力軸に連結される回転羽根と、回転羽根を収容するハウジングを有し、ハウジングは回転羽根の小径羽根が挿入される吸込口と、ポンプ室の側部に設けられる吐出口を備え、回転羽根はモータの出力軸に連結される軸部と、軸部から放射方向に延びる板状の大径羽根と、大径羽根とテーパー状の連結部を介して連結される板状の小径羽根と、大径羽根の外周部を連結するリング部材とを有し、リング部材は、外側と内側の２重のリング部材と、２重のリング部材により形成される有底の環状溝を備えるものである。
【０００５】
そして、内側のリング部材は、外側のリング部材に対して高さ寸法が低く形成され、内側のリング部材に設けられる環状溝の排水用の隙間を備えるものである。
また、内側のリング部材から内周側に延びる板状の補助大径羽根を備えるものである。
【発明の効果】
【０００６】
本発明は、以上の構成を備えることにより、水かき音を低減させることができる。
【発明を実施するための最良の形態】
【０００７】
図１は、本発明を適用する排水ポンプの説明図である。
全体を符号１で示す排水ポンプは、電動モータ１０を有し、電動モータ１０は、リード線１１を介して給電される。電動モータ１０は、ブラケット２０により支持され、ブラケット２０の下端部は、ポンプハウジング（ポンプ本体）５０の上部に取付けられる蓋部材３０に連結される。
【０００８】
ハウジング５０は、プラスチックでつくられ、内部にポンプ室５２が形成される。ハウジング５０には、ポンプ室５２に連通される吸込口６０と吐出口７０が一体に形成される。
ポンプ室５２内には、回転羽根１００が配設され、ポンプ室５２の開口部は蓋部材３０で覆われる。ハウジング５０と蓋部材３０の間にはシール部材４０が挿入され、ポンプ室からのドレン水の漏水が防止される。
【０００９】
図２は、回転羽根１００の詳細を示す説明図である。図の（ｂ）は図の（ａ）のＡ−Ａ断面を示す。
回転羽根１００は軸部１１０を有し、軸部１１０の有底穴に電動モータ１０の出力軸１２が挿入される。軸部１１０から放射方向に延びる板状の大径羽根１２０は、外周側が円筒状のリング部材１７２に接続される。
【００１０】
図１に示すように大径羽根１２０は、テーパー状の連結部１３０を介して小径羽根１４０に接続される。
本実施例にあっては、４枚の大径羽根１２０と小径羽根１４０を備える。
大径羽根１２０の下縁部は、皿状部材１６０に接続される。皿状部材１６０の中心側には、開口部１５０を有し、吸込口からのドレン水が小径羽根１４０、連結部１３０を介して大径羽根１２０側へ送られる。
【００１１】
リング部材１７２の内側には、４枚の補助大径羽根１２２が設けられる。補助大径羽根１２２の内周側は、皿状部材１６０の開口部１５０の外縁部近傍まで延びて、軸部材１１０との間に開口部１２４を形成する。
【００１２】
本実施例の回転羽根１００にあっては、リング部材１７２の外側に第２のリング部材１７０が形成される。
２重構造のリング部材１７０，１７２の間には、環状の溝１７４が形成される。外側のリング部材１７０の内側のリング部材１７２は略等しい高さ寸法を有する。上端部はそれぞれ、片円弧面１７０ａ，１７２ａ、両円弧面１７０ｂ，１７２ｂに形成される。
なお、円弧面にかえて、面取り部又は、エッジなしとすることもできる。
【００１３】
この２重構造のリング部材を有する回転羽根１００を備えた排水ポンプにあっては、従来の回転羽根を備えたものに比べて、図６、図７に示すように、騒音が低下することが実験により確認された。
【００１４】
図６は、横軸に揚程を、たて軸に騒音をとったときの従来のものと本発明のものを比較したグラフであって、ポンプが吐出状態であるときのものである。
【００１５】
図７は同様のグラフであって、ポンプは運転状態であるが、吐出は伴わない、いわゆるバランス時のものである。
いずれの場合でも、顕著な騒音低減効果を有することが確認された。
【００１６】
図３は、回転羽根の他の例を示す説明図である。
回転羽根２００は軸部２１０を有し、軸部２１０の有底穴に電動モータ１０の出力軸１２が挿入される。軸部２１０から放射方向に延びる板状の大径羽根２２０は、外周側に接続される。
大径羽根２２０は、テーパー状の連結部を介して小径羽根２４０に接続される。
本実施例にあっては、４枚の大径羽根２２０と小径羽根２４０を備える。
リング部材２７２の内側には、４枚の補助大径羽根２２２が設けられる。
【００１７】
本実施例の回転羽根２００にあっては、リング部材２７２の外側に第２のリング部材２７０が形成される。
２重構造のリング部材２７０，２７２の間には、環状の溝２７４が形成される。外側のリング部材２７０の内側のリング部材２７２は略等しい高さ寸法を有する。
内側のリング部材２７２と大径羽根２２０の間には、環状溝２７４に通ずる排水用の隙間２２６が形成される。
【００１８】
図４は、回転羽根の更に他の例を示す説明図である。図の（ｂ）は図の（ａ）のＢ−Ｂ断面を示す。
回転羽根３００は軸部３１０を有し、軸部３１０の有底穴に電動モータ１０の出力軸１２が挿入される。軸部３１０から放射方向に延びる板状の大径羽根３２０は、外周側に接続される。
大径羽根３２０は、テーパー状の連結部を介して小径羽根３４０に接続される。
本実施例にあっては、４枚の大径羽根３２０と小径羽根３４０を備える。
リング部材３７２の内側には、４枚の補助大径羽根３２２が設けられる。
【００１９】
本実施例の回転羽根３００にあっては、リング部材３７２の外側に第２のリング部材３７０が形成される。
２重構造のリング部材３７０，３７２の間には、環状の溝３７４が形成される。外側のリング部材３７０に対して内側のリング部材３７２は低い高さ寸法を有する。
内外のリング部材の上端部は、片円弧面や両円弧面、又は面取りに形成することができる。
【００２０】
図５は、回転羽根の更に他の例を示す説明図である。
回転羽根４００は軸部４１０を有し、軸部４１０の有底穴に電動モータ１０の出力軸１２が挿入される。軸部４１０から放射方向に延びる板状の大径羽根４２０は、外周側に接続される。
大径羽根４２０は、テーパー状の連結部を介して小径羽根４４０に接続される。
本実施例にあっては、４枚の大径羽根４２０と小径羽根４４０を備える。
リング部材４７２の内側には、４枚の補助大径羽根４２２が設けられる。
【００２１】
本実施例の回転羽根４００にあっては、リング部材４７２の外側に第２のリング部材４７０が形成される。
２重構造のリング部材４７０，４７２の間には、環状の溝４７４が形成される。外側のリング部材４７０に対して内側のリング部材４７２は低い高さ寸法を有する。
内側のリング部材４７２と大径羽根４２０の間には、環状溝４７４に通ずる排水用の隙間４２６が形成される。
【図面の簡単な説明】
【００２２】
【図１】本発明の排水ポンプの説明図。
【図２】回転羽根の説明図。
【図３】回転羽根の他の例を示す説明図。
【図４】回転羽根の他の例を示す説明図。
【図５】回転羽根の他の例を示す説明図。
【図６】本発明の作用を示す図。
【図７】本発明の作用を示す図。
【符号の説明】
【００２３】
１  排水ポンプ
１０  電動モータ
５０  ポンプ本体
１００  回転羽根
１１０  回転羽根
１２０  大径羽根
１４０  小径羽根
１６０  皿状部材
１７０  リング部材
１７２  リング部材
１７４  環状溝
【図１】
2006029108.tif 000003
【図２】
2006029108.tif 000004
【図３】
2006029108.tif 000005
【図４】
2006029108.tif 000006
【図５】
2006029108.tif 000007
【図６】
2006029108.tif 000008
【図７】
2006029108.tif 000009